(57)【要約】【課題】取付強度を確保したまま、より簡潔な構成でセンターコンソールをインストルメントパネルに取り付けることができるセンターコンソール取付構造を提供することを目的とする。【解決手段】センターコンソール取付構造１００は、インストルメントパネル１０２と、センターコンソール１０４を含む。センターコンソール１０４は、センターコンソールの車幅方向両側の側面１０６ａ・１０６ｂを構成する外装部材１０６と、側面１０６ａ・１０６ｂの間にわたりインストルメントパネル１０２に取り付けられる収納トレー１０８を備える。外装部材１０６は、側面１０６ａ・１０６ｂの縁部１１０に、インストルメントパネル１０２に挿し込まれる挿込ツメ１１２を有し、収納トレー１０８は、車幅方向両端に挿込ツメ１１２が通される挿込孔１１６を有し、挿込ツメ１１２によってインストルメントパネル１０２に取り付けられている。【選択図】図３
2014019231.tif 000002
【特許請求の範囲】
【請求項１】
車両のインストルメントパネルと、
前記インストルメントパネルの車幅方向中央付近に設置されるセンターコンソールと、を含むセンターコンソール取付構造であって、
前記センターコンソールは、
該センターコンソールの車幅方向両側の側面を構成する外装部材と、
前記車幅方向両側の側面の間にわたり前記インストルメントパネルに取り付けられる収納トレーと、を備え、
前記外装部材は、前記側面の車両前側の縁部に、前記インストルメントパネルに挿し込まれてこれに該側面を連結させる挿込ツメを有し、
前記収納トレーは、車幅方向両端に前記挿込ツメが通される挿込孔を有し、該挿込ツメによって前記インストルメントパネルに取り付けられていることを特徴とするセンターコンソール取付構造。
【請求項２】
前記収納トレーは、前記挿込孔を設ける領域として前記インストルメントパネルへ向かって所定の形状に突出した凸領域を有し、
前記インストルメントパネルは、前記挿込ツメが挿し込まれる位置に前記凸領域の形状に応じて窪んだ凹領域を有することを特徴とする請求項１に記載のセンターコンソール取付構造。
【請求項３】
前記挿込ツメおよび挿込孔は前記縁部に沿って複数設けられていて、
前記挿込孔は四角形に形成されていて、
前記挿込ツメは、前記挿込孔の所定の三辺にそれぞれ沿った三つの面を有していて、
前記複数の挿込ツメのうち車両前方の第１の挿込ツメに対して車両後方の第２の挿込ツメは、前記三つの面のうち中央の中央面が、該第１の挿込ツメにおける該中央面の中心点と同心の円の接線に直交する向きに設けられていることを特徴とする請求項２に記載のセンターコンソール取付構造。
【請求項４】
前記凸領域および凹領域は、前記第1の挿込ツメに対応して設けられていることを特徴とする請求項３に記載のセンターコンソール取付構造。
【発明の詳細な説明】
【技術分野】
【０００１】
本発明は、車両のインストルメントパネルと、このインストルメントパネルの車幅方向中央付近に設置されるセンターコンソールとを含んだセンターコンソール取付構造に関するものである。
【背景技術】
【０００２】
センターコンソールは、インストルメントパネルの車幅方向中央で、運転席空間と助手席空間とを隔てるように設けられている部位である。センターコンソールには、オーディオおよびシフトレバーなどが設置されるほか、小物入れ等の収納部も設置される。また、センターコンソールは、車室内のなかでも人目につきやすい部位であるため、外装部材のデザインにも工夫がなされる。
【０００３】
センターコンソールは、上述した各種装備品が内部に収納されるため、収納容量の拡大が求められている。反面、近年の車両における他の部品類と同じく、軽量化および低コスト化を図った簡潔な構成にすることも求められている。そのため、収納容量の拡大はこのような構成の簡潔化と両立させたうえで行う必要がある。
【０００４】
ここで、特許文献１には、インストルメントパネルに取り付けるオーディオ機器等の取付構造が記載されている。この取付構造では、オーディオ機器をインストルメントパネルにはめた後、２つの枠状のパネル部材を取り付けることでオーディオ機器を固定している。このとき、オーディオ機器の側縁には複数の係合孔が設けられ、２つのパネル部材にはそれぞれ係合孔に対応した位置に複数のツメが設けられていて、これらツメが係合孔に挿入されるなどしてオーディオ機器を固定している。
【先行技術文献】
【特許文献】
【０００５】
【特許文献１】実開２００８−２２１９７２号公報
【発明の概要】
【発明が解決しようとする課題】
【０００６】
特許文献１のようにツメをもって固定する構成は広く一般的に用いられていて、センターコンソールの外装部材のインストルメントパネルへの取付けなどにも利用されている。また例えば、センターコンソールは内部に所定の収納トレーを備えていて、この収納トレーの取付けにもツメ構造が用いられている場合がある。これらのようなツメ構造は、むやみに複数設けたり形状を変えたりすると、収納トレーの収納容量を狭めたり、センターコンソールの取付強度を低下させたりしかねない。特に、センターコンソールは、乗員が他の装置類を操作したり車室内で姿勢を変えたりする際に手を置きやすい部材であり、取付強度が低いと変形が生じてしまう。
【０００７】
本発明は、このような課題に鑑み、取付強度を確保したまま、より簡潔な構成でセンターコンソールをインストルメントパネルに取り付けることができるセンターコンソール取付構造を提供することを目的とする。
【課題を解決するための手段】
【０００８】
上記課題を解決するために、本発明にかかるセンターコンソール取付構造の代表的な構成は、車両のインストルメントパネルと、インストルメントパネルの車幅方向中央付近に設置されるセンターコンソールと、を含むセンターコンソール取付構造であって、センターコンソールは、センターコンソールの車幅方向両側の側面を構成する外装部材と、車幅方向両側の側面の間にわたりインストルメントパネルに取り付けられる収納トレーと、を備え、外装部材は、側面の車両前側の縁部に、インストルメントパネルに挿し込まれてこれに側面を連結させる挿込ツメを有し、収納トレーは、車幅方向両端に挿込ツメが通される挿込孔を有し、挿込ツメによってインストルメントパネルに取り付けられていることを特徴とする。
【０００９】
上記の収納トレーは、ツメ構造は省略されていて、外装部材の挿込ツメを利用してこれと共にインストルメントパネルに取り付けられる構成となっている。このように、上記構成では、センターコンソールのインストルメントパネルへの取付けが、より省略した構造で実現されている。そのため、収納トレーの収納容量も容易に確保できる。
【００１０】
上記の収納トレーは、挿込孔を設ける領域としてインストルメントパネルへ向かって所定の形状に突出した凸領域を有し、インストルメントパネルは、挿込ツメが挿し込まれる位置に凸領域の形状に応じて窪んだ凹領域を有することを特徴とする。この構成であれば、収納トレーは、凸領域をインストルメントパネルの凹領域にはめることで、簡単に位置決めができる。したがって、センターコンソールの取付作業の容易化および取付精度の向上に資することが可能になる。
【００１１】
上記の挿込ツメおよび挿込孔は縁部に沿って複数設けられていて、挿込孔は四角形に形成されていて、挿込ツメは、挿込孔の所定の三辺にそれぞれ沿った三つの面を有していて、複数の挿込ツメのうち車両前方の第１の挿込ツメに対して車両後方の第２の挿込ツメは、三つの面のうち中央の中央面が、第１の挿込ツメにおける中央面の中心点と同心の円の接線に直交する向きに設けられているとよい。
【００１２】
上記の第２の挿込ツメは、センターコンソールに第１の挿込ツメを中心とした回転するような方向への荷重がかかった場合、この荷重を効率よく吸収できる向きに設けられている。したがって、センターコンソールの取付強度は向上し、変形等の外観不良を防ぐことが可能になる。このとき、上記の凸領域および凹領域は、第1の挿込ツメに対応して設けられているとよい。例えば、複数の挿込ツメのすべてに対応して凸領域および凹領域を設けた場合、位置規制が厳密になりすぎて、微細な形状誤差であっても組み付かなくなるという不具合が起きかねない。そこで、第２の挿込ツメ等の位置では凸領域および凹領域を省略することで、形状誤差を吸収して組付性を維持することが可能になる。
【発明の効果】
【００１３】
上記構成によれば、取付強度を確保したまま、より簡潔な構成でセンターコンソールをインストルメントパネルに取り付けることができるセンターコンソール取付構造を提供することが可能となる。
【図面の簡単な説明】
【００１４】
【図１】本発明の実施形態にかかるセンターコンソール取付構造を示した斜視図である。
【図２】図１のセンターコンソール取付構造の分解図である。
【図３】図２のセンターコンソールをインストルメントパネルに取り付ける過程を例示した図である。
【図４】図３（ｂ）の挿込ツメを単独で各方向から示した図である。
【図５】図１のＢ−Ｂ断面図である。
【図６】図２の外装部材を内側から見て示した図である。
【図７】図６の外装部材の詳細図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本発明の実施形態にかかるセンターコンソール取付構造１００を示した斜視図である。当該センターコンソール取付構造１００は、インストルメントパネル１０２へのセンターコンソール１０４の取付けを、より簡潔な構造で実現している。
【００１７】
センターコンソール１０４は、インストルメントパネル１０２の車幅方向中央付近に取り付けられる部材である。センターコンソール１０４には、エアコンやパワーウィンドウの操作スイッチなど、さまざまな装置が配置される。そのため、センターコンソール１０４の内部には各種装置の配線等が収納できるよう、収納空間が確保されている。
【００１８】
図２は、図１のセンターコンソール取付構造１００の分解図である。センターコンソール１０４は、外装部材１０６と、センターコンソール１０４の内部に配置される収納トレー１０８とを含んで構成されている。外装部材１０６は樹脂製であり、センターコンソール１０４の車幅方向両側の側面１０６ａ・１０６ｂと、車両後方側の後面１０６ｃを構成している。収納トレー１０８は、側面１０６ａ・１０６ｂの間にわたる形状になっていて、不図示のシガーライターが配置され、またその他の収容物も収容可能になっている。
【００１９】
図３は、図２のセンターコンソール１０４をインストルメントパネル１０２に取り付ける過程を例示した図である。図３（ａ）に例示しているように、本実施形態では、まず収納トレー１０８をインストルメントパネル１０２に配置する。そして外装部材１０６を収納トレー１０８に被せるようにインストルメントパネル１０２に取り付けることで、収納トレー１０８もこれらに連結される。
【００２０】
ここで、外装部材１０６は、インストルメントパネル１０２に取り付ける際に、側面１０６ａの上部かつ車両前側の縁部１１０付近で、収納トレー１０８およびインストルメントパネル１０２に接する。図３（ｂ）は、図３（ａ）の縁部１１０における矢視Ａの拡大図である。図３（ｂ）に示すように、本実施形態における外装部材１０６は、縁部１１０に挿込ツメ１１２を有している。挿込ツメ１１２は、側面１０６ａを、収納トレー１０８およびインストルメントパネル１０２に連結させるために、これらに挿し込む部位である。なお、収納トレー１０８は、図２に示すように、車幅方向両端にそれぞれ挿入孔１１６・１１７を有している。そして、図示は省略するものの、挿込ツメは外装部材の側面１６ｂの縁部にも設けられている。
【００２１】
図４は、図３（ｂ）の挿込ツメ１１２を単独で各方向から示した図である。図４のうち、図４（ａ）は図３（ｂ）の挿込ツメ１１２を上下矢視Ｂ図であり、図４（ｂ）は図４（ａ）の背面図である。図４（ａ）に示すように、挿込ツメ１１２は、中央面１１２ａおよびその両脇の側面１１２ｂ・１１２ｃ（図４（ｂ）の側面を参照）の、計三面で構成された立体的な形状となっている。このうち、中央面１１２ａには、かえし部１１４が設けられている。
【００２２】
図５は、図１のＢ−Ｂ断面図である。収納トレー１０８およびインストルメントパネル１０２は、挿込孔１１６・１１８をそれぞれ有していて、挿込ツメ１１２はこれら挿込孔１１６・１１８に挿し込まれる。挿込ツメ１１２を挿し込んだ後は、かえし部１１４が挿込孔１１８の縁にかかるため、これによって外装部材１０６および収納トレー１０８がインストルメントパネル１０２に連結される。
【００２３】
ここで、収納トレー１０８とインストルメントパネル１０２には、収納トレー１０８を位置決め（仮留め）するための構造が設けられている。まず、収納トレー１０８の挿込孔１１６が設けられた付近は、インストルメントパネル１０２へ向かって突出した凸領域１２０となっている。そして、インストルメントパネル１０２の挿込孔１１８の周囲は、凸領域１２０の形状に応じて窪んだ凹領域１２２となっている。
【００２４】
凸領域１２０を凹領域１２２にはめることで、収納トレー１０８はインストルメントパネル１０２に位置決めすることができる。したがって、収納トレーの取付作業の容易化および取付精度の向上に資することが可能になる。また、挿込ツメ１１２の根元のリブ１１３ａ・１１３ｂは、凸領域１２０の内側にはまる構成となっていて、これによって取付剛性が高められている
これらのように、本実施形態では、収納トレー１０８自体のツメ構造は省略されていて、外装部材１０６の挿込ツメ１１２を利用して収納トレー１０８をインストルメントパネル１０２に取り付けられる構成となっている。すなわち、本実施形態では、センターコンソール１０４のインストルメントパネル１０２への取付けが、より省略した構造で実現されている。そして、収納トレー１０８にツメ構造を設けていない分、収納トレー１０８は形状の自由度が増していて、収納容量をさらに広げることも容易になっている。
【００２５】
当該センターコンソール取付構造１００では、さらに、センターコンソール１０４の取付強度を向上させる工夫を行っている。図６は、図２の外装部材１０６を内側から見て示した図である。本実施形態では、挿込ツメ１１２および第２挿込ツメ１２４が、縁部１１０に沿って計２つ設けられている。なお外装部材１０６には、インストルメントパネル１０２（図２参照）への取付けに用いる部位として、挿込ツメ１１２とは別に、ツメ１２６などが設けられている。
【００２６】
図７は、図６の外装部材１０６の詳細図である。図７（ａ）は、図６の矢視Ｃ図である。図７（ａ）に示すように、車両前方の挿込ツメ１１２（この挿込ツメ１１２を「第１の挿込ツメ」とする）に対して、車両後方の第２挿込ツメ１２４は、向きが異なっている。
【００２７】
ここで、図７（ｂ）を参照して、挿込ツメ１１２の構成についてさらに説明する。この図７（ｂ）は、図５のＤ−Ｄ断面図である。本実施形態では、挿込孔１１６および凸領域１２０の内側が四角形に形成されていて、挿込ツメ１１２の中央面１１２ａおよび側面１１２ｂ・１１２ｃは、挿込孔１１６および凸領域１２０が描く四角形の三辺にそれぞれ沿った構成となっている。そして、中央面１１２ａのさらに中央にはかえし部１１４が設けられている。かえし部１１４が挿込孔１１６の縁にかかっていることで、挿込ツメ１１２は外装部材１０８にかかる荷重を吸収することが可能になっている。
【００２８】
乗員がセンターコンソール１０４（図１参照）に手を置くと、図７（ａ）の外装部材１０８に、挿込ツメ１１２を中心とした回転するような方向への荷重がかかる場合がある。この荷重の方向は、詳細に説明すると、中央面１１２ａの中心点Ｐ（かえし部１１４の中心でもある）と同心の円Ｅの円周方向である。そこで、本実施形態では、第２挿込ツメ１２４を、その中央面１２４ａが円Ｅの接線Ｌに直交する向きに設けている。この向きの第２挿込ツメ１２４であれば、円Ｅの円周方向への荷重を効率よく吸収することができる。したがって、センターコンソール１０４の取付強度を向上させ、変形等の外観不良を防ぐことができる。
【００２９】
なお、本実施形態では、図５等を参照して説明した凸領域１２０および凹領域１２２は、図７（ａ）の挿込ツメ１１２の位置にのみ設け、第２挿込ツメ１２４の位置では省略している。第２挿込ツメ１２４にも凸領域等を設けることが可能であるが、その場合、位置規制が厳密になりすぎるおそれがあり、微細な形状誤差であっても組み付けられなくなることがある。そのため、第２挿込ツメ１２４の位置では凸領域等を省略していて、これによって形状誤差を吸収して組付性を維持している。
【００３０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３１】
本発明は、車両のインストルメントパネルと、このインストルメントパネルの車幅方向中央付近に設置されるセンターコンソールとを含んだセンターコンソール取付構造として利用することができる。
【符号の説明】
【００３２】
１００  …センターコンソール取付構造、１０２  …インストルメントパネル、１０４  …センターコンソール、１０６  …外装部材、１０６ａ・１０６ｂ  …外装部材の側面、１０６ｃ  …外装部材の後面、１０８  …収納トレー、１１０  …縁部、１１２  …挿込ツメ、１１２ａ  …挿込ツメの中央面、１１２ｂ  …挿込ツメの側面、１１３ａ・１１３ｂ  …リブ、１１４  …かえし部、１１６  …収納トレーの挿込孔、１１８  …インストルメントパネルの挿込孔、１２０  …凸領域、１２２  …凹領域、１２４  …第２挿込ツメ、１２４ａ  …第２挿込ツメの中央面、Ｅ     …中央面の中心点と同心の円、Ｌ     …円の接線、Ｐ     …中央面の中心点
【図１】
2014019231.tif 000003
【図２】
2014019231.tif 000004
【図３】
2014019231.tif 000005
【図４】
2014019231.tif 000006
【図５】
2014019231.tif 000007
【図６】
2014019231.tif 000008
【図７】
2014019231.tif 000009